(57)【要約】【課題】  小型で低圧時大容量のフロート式スチームトラップを提供する。【解決手段】  入口４と出口６を有する本体１とこの本体１に締結した蓋体２とで内部に弁室３を有する弁ケーシングを形成する。弁室３と出口６を連通する第１弁口７を設ける。第１弁口７を弁室３内に配置したフロート９で直接に開閉する。弁室３と出口６を連通する第２弁口１８を設ける。弁室３内に入口４側流体圧力が閉弁方向に作用し出口６側流体圧力とコイル状ばね１５の弾性力が開弁方向に作用する平板状の圧力応動部材１４を配置して第２弁口１８を開閉する。第１弁口７は対応するフロート９が全使用圧力範囲に渡って開弁できる大きさに形成し、第２弁口１８は対応する圧力応動部材１４が所定の低い圧力範囲でのみ開弁できる大きさに形成する。【選択図】      図１
2008121874.tif 000002
【特許請求の範囲】
【請求項１】
入口と出口を有する弁ケーシング内に弁室を形成し、弁室と出口を連通する第１弁口を設け、弁室内に配置したフロートで直接にあるいは弁部材を駆動して第１弁口を開閉するものにおいて、弁室と出口を連通する第２弁口を設け、弁室内に入口側流体圧力が閉弁方向に作用し出口側流体圧力とばねの弾性力が開弁方向に作用する平板状の圧力応動部材を配置して第２弁口を開閉し、第１弁口は対応するフロートが全使用圧力範囲に渡って開弁できる大きさに形成し、第２弁口は対応する圧力応動部材が所定の低い圧力範囲でのみ開弁できる大きさに形成したことを特徴とするフロート式スチームトラップ。
【発明の詳細な説明】
【技術分野】
【０００１】
本発明は、フロートの浮上、降下により弁口を開閉するフロート式スチームトラップに関し、特に低圧時に多量の復水を排出できるものに関する。
【背景技術】
【０００２】
フロート式スチームトラップは、蒸気使用機器や蒸気配管に取り付けられて復水を排出する自動弁であるが、蒸気の使用開始時には機器や配管が冷えているために多量の復水が発生し、使用状態が定常状態に入ると復水の発生量が著しく減少するのが一般的な使用方法である。そこで、従来は特開平１−１３１３９７に示された低圧時大容量フロート式スチームトラップが用いられていた。これは、入口と出口を有する弁ケーシング内に弁室を形成し、弁室と出口を連通する第１弁口を設け、弁室内に配置した第１フロートで直接にあるいは弁部材を駆動して第１弁口を開閉し、弁室と出口を連通する第２弁口を設け、弁室内に配置した第２フロートで直接にあるいは弁部材を駆動して第２弁口を開閉し、第１弁口は対応する第１フロートが全使用圧力範囲に渡って開弁できる大きさに形成し、第２弁口は対応する第２フロートが所定の低い圧力範囲でのみ開弁できる大きさに形成したものである。
【０００３】
上記従来のフロート式スチームトラップは、２つのフロートを用いたものであるので、２つのフロートを収容するために大きな弁室を必要とし、弁ケーシングが大型になるという問題点があった。
【特許文献１】特開平６−２４１３９６号公報
【発明の開示】
【発明が解決しようとする課題】
【０００４】
解決しようとする課題は、小型で低圧時大容量のフロート式スチームトラップを提供することである。
【課題を解決するための手段】
【０００５】
上記の課題を解決するために講じた本発明の手段は、入口と出口を有する弁ケーシング内に弁室を形成し、弁室と出口を連通する第１弁口を設け、弁室内に配置したフロートで直接にあるいは弁部材を駆動して第１弁口を開閉するものにおいて、弁室と出口を連通する第２弁口を設け、弁室内に入口側流体圧力が閉弁方向に作用し出口側流体圧力とばねの弾性力が開弁方向に作用する平板状の圧力応動部材を配置して第２弁口を開閉し、第１弁口は対応するフロートが全使用圧力範囲に渡って開弁できる大きさに形成し、第２弁口は対応する圧力応動部材が所定の低い圧力範囲でのみ開弁できる大きさに形成したことを特徴とするフロート式スチームトラップにある。
【発明の効果】
【０００６】
本発明は、第２弁口を平板状の圧力応動部材で開閉することにより、小型で低圧時大容量のフロート式スチームトラップを提供できるという優れた効果を生じる。
【発明を実施するための最良の形態】
【０００７】
本発明のフロート式スチームトラップは、弁室内に入口側流体圧力が閉弁方向に作用し出口側流体圧力とばねの弾性力が開弁方向に作用する平板状の圧力応動部材を配置して弁室と出口を連通する第２弁口を開閉し、第２弁口は対応する圧力応動部材が所定の低い圧力範囲でのみ開弁できる大きさに形成したものである。すなわち、第２弁口を平板状の圧力応動部材で開閉するものであるので、第２弁口をフロートで開閉するものよりも弁室を小さくでき、弁ケーシングを小型にできる。そのため、小型で低圧時大容量のフロート式スチームトラップを提供することができる。
【実施例１】
【０００８】
上記の技術的手段の具体例を示す実施例を説明する（図１参照）。図１に本発明のフロート式スチームトラップの断面図を示す。本実施例はフリーフロート式スチームトラップに適用したものである。フリーフロート式スチームトラップの弁ケーシングは本体１とこの本体１に締結した蓋体２とで形成し、内部に弁室３を有する。本体１は入口４と出口通路５と出口６を有し、入口４は弁室３の上部に連通する。弁室３の下部側壁に第１弁口７を開けた第１弁座８を形成する。弁室３の下部は第１弁口７から出口通路５を介して出口６に連通する。弁室３内に第１弁口７を開閉する中空球形のフロート９を自由状態で配置する。フロート９が第１弁口７を閉じた位置で当接するフロート座１０をフロート９の下方に設ける。第１弁口７はフロート９が全使用圧力範囲に渡って開弁できる大きさに形成する。
【０００９】
弁室３の下部側壁の第１弁口７よりも下方に圧力応動弁ユニット１１を配置する。圧力応動弁ユニット１１は入口側部材１２と、入口側部材１２にねじ結合された出口側部材１３と、入口側部材１２と出口側部材１３の間に配置された平板状の圧力応動部材１４と、圧力応動部材と出口側部材の間に配置されたコイル状ばね１５とから構成される。圧力応動弁ユニット１１は入口側部材１２を本体１にねじ結合して固定する。入口側部材１２は流入路１６を有し、出口側部材１３は流出路１７を有する。出口側部材１３の流入路１６側に第２弁口１８を開けた第２弁座１９を形成する。弁室３の下部は第２弁口１８から出口通路５を介して出口６に連通する。第２弁口１８を開閉する圧力応動部材１４には入口４側流体圧力が閉弁方向に作用し出口６側流体圧力とコイル状ばね１５の弾性力が開弁方向に作用する。第２弁口１８は圧力応動部材１４が所定の低い圧力範囲でのみ開弁できる大きさに形成する。
【００１０】
上記実施例のフリーフロート式スチームトラップの動作は下記の通りである。蒸気配管系の初期立ち上げ時のように入口４側流体圧力が所定値よりも低圧で復水が弁室３内に流入する場合、出口６側流体圧力とコイル状ばね１５の弾性力が入口４側流体圧力に打ち勝って圧力応動部材１４を第２弁座１９から離座させ、第２弁口１８を開口している。またフロート９は第１弁座８から離座して浮上し、第１弁口７を開口している。これにより、多量の復水を第１弁口７と第２弁口１８から素早く出口６に排出する。入口４側の圧力が所定値よりも高くなると、入口４側流体圧力が出口６側流体圧力とコイル状ばね１５の弾性力に打ち勝って圧力応動部材１４を第２弁座１９に着座させ、第２弁口１８を閉口する。以降はフロート９の浮上降下による第１弁口７の開閉により復水の排出と蒸気の漏出防止が行われる。
【００１１】
上記実施例では、本発明をフリーフロート式スチームトラップに適用したが、レバーフロート式スチームトラップにも適用することができる。
【図面の簡単な説明】
【００１２】
【図１】本発明のフリーフロート式スチームトラップの断面図。
【符号の説明】
【００１３】
１  本体
２  蓋体
３  弁室
４  入口
６  出口
７  第１弁口
９  フロート
１１  圧力応動弁ユニット
１４  圧力応動部材
１５  コイル状ばね
１８  第２弁口
【図１】
2008121874.tif 000003